【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
（Ａ）媒体を搬送方向に搬送するための搬送部と、
（Ｂ）インクを吐出するためのノズルが前記搬送方向と交差する交差方向に所定の間隔を隔てて複数並べられた複数のノズル列を有するノズルユニットであって、
前記複数のノズル列が平行に配置されると共に、ある前記ノズル列の前記交差方向における一端側の偶数個の前記ノズルと、他方の前記ノズル列の前記交差方向における他端側の偶数個の前記ノズルとが、前記搬送方向にて重複する重複領域を有し、
前記重複領域にて、画像を構成する同一の単位領域に形成されるべきドットを形成する２つのノズルにおいて、前記あるノズル列の前記ノズルの位置を、前記他方のノズル列の前記ノズルの位置に対して、前記交差方向における前記他端側に相違させたノズルユニットと、
（Ｃ）前記媒体に吐出されたインクにて形成された画像の濃度に基づいて、前記重複領域の前記ノズルからのインク吐出方法を決定するためのコントローラであって、
（Ｄ）前記画像の濃度が予め設定された濃度より高い場合には、
前記重複領域の前記ノズルからインクが吐出される前記単位領域であって、前記交差方向における最も前記他端側に位置し前記搬送方向に並ぶ前記単位領域に対して、１つおきに、前記重複領域に含まれる前記他方のノズル列の最も前記他端側の前記ノズルからインクを吐出させ、このインクを吐出させる前記ノズルと同一の前記単位領域に対応付けられる前記あるノズル列の前記ノズルからはその同一の前記単位領域に対してインクを吐出させず、
前記重複領域の前記ノズルからインクが吐出される前記単位領域であって、前記交差方向における最も前記一端側に位置し、前記重複領域に含まれる前記他方のノズル列の前記ノズルからインクを吐出させる前記単位領域と前記交差方向に並ばない前記単位領域に対して、前記重複領域に含まれる前記あるノズル列の最も前記一端側の前記ノズルからインクを吐出させ、このインクを吐出させる前記ノズルと同一の前記単位領域に対応付けられる前記他方のノズル列の前記ノズルからはその同一の前記単位領域に対してインクを吐出させず、
前記重複領域の前記ノズルからインクが吐出される前記単位領域であって、前記重複領域に含まれる前記他方のノズル列の最も前記他端側の前記ノズル及び前記あるノズル列の最も前記一端側の前記ノズルからインクが吐出される前記単位領域と前記搬送方向及び前記交差方向に隣接する前記単位領域に対して、前記重複領域に含まれない前記ノズルから吐出させるインクの量よりも少ないインクの量を、前記重複領域の前記ノズルから吐出させるコントローラと、
を有することを特徴とする印刷装置。
【請求項２】
請求項１に記載の印刷装置において、
前記画像は、前記重複領域のノズルから吐出されたインクにて形成されることを特徴とする印刷装置。
【請求項３】
請求項１または請求項２に記載の印刷装置において、
前記ノズルは、印刷データに基づいて画像を形成し、
前記画像は、所定濃度の画像を形成するための前記印刷データに基づいて形成された特定濃度画像であることを特徴とする印刷装置。
【請求項４】
請求項３に記載の印刷装置において、
前記コントローラは、前記重複領域の前記あるノズル列が有する前記ノズルから吐出するインクにて前記媒体に形成されるドットと、前記他方のノズル列が有する前記ノズルから吐出するインクにて前記媒体に形成されるドットとが、前記搬送方向において交互に配置されるように前記ノズルからインクを吐出させて前記特定濃度画像を形成することを特徴とする印刷装置。
【請求項５】
請求項１乃至請求項４のいずれかに記載の印刷装置において、
前記画像の濃度が予め設定された濃度より低い場合には、前記コントローラは、前記重複領域に含まれる前記あるノズル列のノズル及び前記他方のノズル列のノズルからインクを吐出させることを特徴とする印刷装置。
【請求項６】
請求項５に記載の印刷装置において、
前記重複領域に含まれる前記あるノズル列のノズル及び前記他方のノズル列のノズルから吐出されるインクの量は相違することを特徴とする印刷装置。
【請求項７】
請求項１乃至請求項６のいずれかに記載の印刷装置において、
前記画像の濃度を検出するための検出部を有することを特徴とする印刷装置。
【請求項８】
媒体を搬送方向に搬送するステップと、
インクを吐出するためのノズルが前記搬送方向と交差する交差方向に所定の間隔を隔てて複数並べられた複数のノズル列を有するノズルユニットであって、前記複数のノズル列が平行に配置されると共に、ある前記ノズル列の前記交差方向における一端側の偶数個の前記ノズルと、他方の前記ノズル列の前記交差方向における他端側の偶数個の前記ノズルとが、前記搬送方向にて重複する重複領域を有し、前記重複領域にて、画像を構成する同一の単位領域に形成されるべきドットを形成する２つのノズルにおいて、前記あるノズル列の前記ノズルの位置を、前記他方のノズル列の前記ノズルの位置に対して、前記交差方向における前記他端側に相違させたノズルユニットにて画像を形成するステップと、
前記画像の濃度に基づいて、前記重複領域の前記ノズルからのインク吐出方法を決定し、前記画像の濃度が予め設定された濃度より高い場合には、前記重複領域の前記ノズルからインクが吐出される前記単位領域であって、前記交差方向における最も前記他端側に位置し前記搬送方向に並ぶ前記単位領域に対して、１つおきに、前記重複領域に含まれる前記他方のノズル列の最も前記他端側の前記ノズルからインクを吐出させ、このインクを吐出させる前記ノズルと同一の前記単位領域に対応付けられる前記あるノズル列の前記ノズルからはその同一の前記単位領域に対してインクを吐出させず、前記重複領域の前記ノズルからインクが吐出される前記単位領域であって、前記交差方向における最も前記一端側に位置し、前記重複領域に含まれる前記他方のノズル列の前記ノズルからインクを吐出させる前記単位領域と前記交差方向に並ばない前記単位領域に対して、前記重複領域に含まれる前記あるノズル列の最も前記一端側の前記ノズルからインクを吐出させ、このインクを吐出させる前記ノズルと同一の前記単位領域に対応付けられる前記他方のノズル列の前記ノズルからはその同一の前記単位領域に対してインクを吐出させず、前記重複領域の前記ノズルからインクが吐出される前記単位領域であって、前記重複領域に含まれる前記他方のノズル列の最も前記他端側の前記ノズル及び前記あるノズル列の最も前記一端側の前記ノズルからインクが吐出される前記単位領域と前記搬送方向及び前記交差方向に隣接する前記単位領域に対して、前記重複領域に含まれない前記ノズルから吐出させるインクの量よりも少ないインクの量を、前記重複領域の前記ノズルから吐出させるステップと、
を有することを特徴とするインク吐出方法の決定方法。
【手続補正２】
【補正対象書類名】明細書
【補正対象項目名】発明の名称
【補正方法】変更
【補正の内容】
【発明の名称】印刷装置、及び、インク吐出方法の決定方法
【手続補正３】
【補正対象書類名】明細書
【補正対象項目名】０００５
【補正方法】変更
【補正の内容】
【０００５】
主たる発明は、（Ａ）媒体を搬送方向に搬送するための搬送部と、（Ｂ）インクを吐出するためのノズルが前記搬送方向と交差する交差方向に所定の間隔を隔てて複数並べられた複数のノズル列を有するノズルユニットであって、前記複数のノズル列が平行に配置されると共に、ある前記ノズル列の前記交差方向における一端側の偶数個の前記ノズルと、他方の前記ノズル列の前記交差方向における他端側の偶数個の前記ノズルとが、前記搬送方向にて重複する重複領域を有し、前記重複領域にて、画像を構成する同一の単位領域に形成されるべきドットを形成する２つのノズルにおいて、前記あるノズル列の前記ノズルの位置を、前記他方のノズル列の前記ノズルの位置に対して、前記交差方向における前記他端側に相違させたノズルユニットと、（Ｃ）前記媒体に吐出されたインクにて形成された画像の濃度に基づいて、前記重複領域の前記ノズルからのインク吐出方法を決定するためのコントローラであって、（Ｄ）前記画像の濃度が予め設定された濃度より高い場合には、前記重複領域の前記ノズルからインクが吐出される前記単位領域であって、前記交差方向における最も前記他端側に位置し前記搬送方向に並ぶ前記単位領域に対して、１つおきに、前記重複領域に含まれる前記他方のノズル列の最も前記他端側の前記ノズルからインクを吐出させ、このインクを吐出させる前記ノズルと同一の前記単位領域に対応付けられる前記あるノズル列の前記ノズルからはその同一の前記単位領域に対してインクを吐出させず、前記重複領域の前記ノズルからインクが吐出される前記単位領域であって、前記交差方向における最も前記一端側に位置し、前記重複領域に含まれる前記他方のノズル列の前記ノズルからインクを吐出させる前記単位領域と前記交差方向に並ばない前記単位領域に対して、前記重複領域に含まれる前記あるノズル列の最も前記一端側の前記ノズルからインクを吐出させ、このインクを吐出させる前記ノズルと同一の前記単位領域に対応付けられる前記他方のノズル列の前記ノズルからはその同一の前記単位領域に対してインクを吐出させず、前記重複領域の前記ノズルからインクが吐出される前記単位領域であって、前記重複領域に含まれる前記他方のノズル列の最も前記他端側の前記ノズル及び前記あるノズル列の最も前記一端側の前記ノズルからインクが吐出される前記単位領域と前記搬送方向及び前記交差方向に隣接する前記単位領域に対して、前記重複領域に含まれない前記ノズルから吐出させるインクの量よりも少ないインクの量を、前記重複領域の前記ノズルから吐出させるコントローラと、を有することを特徴とする印刷装置である。